(57)【要約】【課題】より長期間に渡ってプリザーブドフラワーの状態を維持することのできるテーブルを提供する。【解決手段】  上記課題を解決するため、天板部と上記天板部を支持する支持部７を備えたテーブル１であって、天板部は、底面に少なくとも二つの第１の孔Ｈ１が穿設され、上面が開口した筐体３１，３２と、上記筐体３１，３２に内蔵され、第１の孔Ｈ１に連なる第２の孔Ｈ２が穿設された固定材９と、固定材９に挿設され、上記筐体３１，３２に内蔵されたプリザーブドフラワーＦと、上記筐体３１，３２の上面を覆うように配設された透明な平面板３３を含むテーブル１を提供する。【選択図】図３
2020031877.tif 000002
【特許請求の範囲】
【請求項１】
天板部と前記天板部を支持する支持部を備えたテーブルであって、前記天板部は、
底面に少なくとも二つの第１の孔が穿設され、上面が開口した筐体と、
前記筐体に内蔵され、前記第１の孔に連なる第２の孔が穿設された固定材と、
前記固定材に挿設され、前記筐体に内蔵されたプリザーブドフラワーと、
前記筐体の上面を覆うように配設された透明な平面板を含むテーブル。
【請求項２】
前記第１の孔は、前記底面の中心に対して点対称となる位置に穿設された二つの孔である請求項１に記載のテーブル。
【請求項３】
前記第２の孔は、前記第１の孔より小さな直径を有する請求項１に記載のテーブル。
【請求項４】
前記筐体は、
前記支持部に接合された土台と、
前記土台の上に敷設され、底面に前記第１の孔が穿設された中敷きと、
前記平面板の周縁で前記平面板と固着され、前記中敷きを挟持するよう前記土台に嵌合されたフレームを含む請求項１に記載のテーブル。
【請求項５】
前記筐体は、
前記平面板の周縁で前記平面板と固着され、前記底面において前記支持部に接合されると共に前記第１の孔が穿設された外枠体と、
前記外枠体に出し入れ可能で、底面に前記第１の孔が穿設された引き出しを含む請求項１に記載のテーブル
【請求項６】
前記筐体は、前記引き出し内の底面に敷設され、前記第１の孔が穿設されると共に、前記固定材が載置される中敷きをさらに含み、
前記引き出しは、内側面に設けられ、前記中敷きの鉛直方向の動きを抑止するストッパーを含む請求項５に記載のテーブル。
【請求項７】
前記筐体は、
前記支持部に接合された土台と、
前記平面板の周縁で前記平面板と固着され、前記土台に嵌合されたフレームを含み、
前記天板部は、前記土台と前記フレームを着脱可能に係合させる錠前部をさらに含む請求項１に記載のテーブル。
【請求項８】
前記筐体は、
前記平面板の周縁で前記平面板と固着され、前記底面において前記支持部に接合されると共に前記第１の孔が穿設された外枠体と、
前記外枠体に出し入れ可能で、底面に前記第１の孔が穿設された引き出しを含み、
前記天板部は、前記外枠体と前記引き出しを着脱可能に係合させる錠前部をさらに含む請求項１に記載のテーブル。
【請求項９】
天板部と前記天板部を支持する支持部を備えたテーブルであって、前記天板部は、
透明な平面板と、
前記支持部に接合された土台と、
前記平面板の周縁で前記平面板と固着され、前記土台に嵌合されたフレームと、
前記土台に内蔵された固定材と、
前記固定材に挿設され、前記土台に内蔵されたプリザーブドフラワーと、
前記土台と前記フレームを着脱可能に係合させる錠前部を含むテーブル。
【請求項１０】
前記錠前部は、前記土台内に設けられた請求項９に記載のテーブル。
【請求項１１】
前記天板部は、前記土台の上に敷設され、前記土台と前記フレームの間に挟持された中敷きをさらに含み、
前記固定材は前記中敷きの上に載置された、請求項９に記載のテーブル。
【請求項１２】
天板部と前記天板部を支持する支持部を備えたテーブルであって、前記天板部は、
透明な平面板と、
前記平面板の周縁で前記平面板と固着され、底面において前記支持部に接合された外枠体と、
前記外枠体に出し入れ可能な引き出しと、
前記引き出し内の底面に敷設された中敷きと、
前記中敷きの上に載置された固定材と、
前記固定材に挿設され、前記引き出しに内蔵されたプリザーブドフラワーと、
前記外枠体と前記引き出しを着脱可能に係合させる錠前部を含むテーブル。
【請求項１３】
前記錠前部は、前記外枠体の枠内に設けられた請求項１２に記載のテーブル。
【請求項１４】
前記引き出しは、内側面に設けられ、前記中敷きの鉛直方向の動きを抑止するストッパーを含む請求項１２に記載のテーブル。
【発明の詳細な説明】
【技術分野】
【０００１】
本発明は、テーブルに係るものである。
【背景技術】
【０００２】
生花の水分を保存液に置換することによって、生花よりも長期間に渡り生花のような質感や形を維持させたプリザーブドフラワーが知られており、これまで、例えば以下の特許文献１に示されるように、プリザーブドフラワーを展示するための容器についての考案もなされている。
【０００３】
特許文献１に示されたプリザーブドフラワー装飾用容器は、その段落［００２０］に記されているように、内部に乾燥剤２５が置かれ、嵌合部１１と嵌合部２１、すなわち透明容器１０と装飾用受皿２０の隙間、及び装飾用受皿台２３と乾燥部２４の隙間にそれぞれ塗布されたシーリング剤６０により、外部からの湿気の流入が遮断された構成を有している。
【０００４】
なお、同段落では、透明容器１０と装飾用受皿２０を引き離すには固着したシーリング剤を取り剥がす旨、及び、乾燥部２４を交換するには固着したシーリング剤６０を取り剥がす旨が記載されている。
【先行技術文献】
【特許文献】
【０００５】
【特許文献１】特開２００７−４４４５１号公報
【発明の概要】
【発明が解決しようとする課題】
【０００６】
しかし、プリザーブドフラワーは、乾燥すると花弁が割れてしまうなど、乾燥に弱いという一面もある。また、容器内部に手を加える必要がある場合、上記のように塗布されたシーリング剤を取り剥がして、当該作業終了後に再度シーリング剤を塗布するのは手間がかかる。
【０００７】
本発明は、上記のような問題を解決し、より長期間に渡ってプリザーブドフラワーの状態を維持することのできるテーブルを提供することを課題とする。
【課題を解決するための手段】
【０００８】
本発明は上記課題を解決するため、天板部と天板部を支持する支持部を備えたテーブルであって、天板部は、底面に少なくとも二つの第１の孔が穿設され、上面が開口した筐体と、筐体に内蔵され、第１の孔に連なる第２の孔が穿設された固定材と、固定材に挿設され、筐体に内蔵されたプリザーブドフラワーと、筐体の上面を覆うように配設された透明な平面板を含むテーブルを提供する。
【０００９】
また、本発明は上記課題を解決するため、天板部と天板部を支持する支持部を備えたテーブルであって、天板部は、透明な平面板と、支持部に接合された土台と、平面板の周縁で平面板と固着され、土台に嵌合されたフレームと、土台に内蔵された固定材と、固定材に挿設され、土台に内蔵されたプリザーブドフラワーと、土台とフレームを着脱可能に係合させる錠前部を含むテーブルを提供する。
【００１０】
また、本発明は上記課題を解決するため、天板部と天板部を支持する支持部を備えたテーブルであって、天板部は、透明な平面板と、平面板の周縁で平面板と固着され、底面において支持部に接合された外枠体と、外枠体に出し入れ可能な引き出しと、引き出し内の底面に敷設された中敷きと、中敷きの上に載置された固定材と、固定材に挿設され、引き出しに内蔵されたプリザーブドフラワーと、外枠体と引き出しを着脱可能に係合させる錠前部を含むテーブルを提供する。
【発明の効果】
【００１１】
本発明によれば、より長期間に渡ってプリザーブドフラワーの状態を維持することのできるテーブルを提供することができる。
【図面の簡単な説明】
【００１２】
【図１】本発明の実施の形態１に係るテーブル１の全体構成を示す斜視図である。
【図２】図１に示された天板部３の構成を説明するための斜視図である。
【図３】図１に示された天板部３のＡ−Ａ線での断面構造を示す断面図である。
【図４】図３に示された錠前部５の動作を説明するための図であり、それぞれ、図４（ａ）は錠前を施錠した状態、図４（ｂ）は錠前を解錠した状態を示す断面図である。
【図５】本発明の実施の形態２に係るテーブルの天板部３の構成を説明するための斜視図である。
【発明を実施するための形態】
【００１３】
以下において、本発明の実施の形態を図面を参照しつつ詳しく説明する。なお、図中同一符号は同一又は相当部分を示す。
【００１４】
［実施の形態１］
図１は、本発明の実施の形態１に係るテーブル１の全体構成を示す斜視図である。図１に示されるように、本発明の実施の形態１に係るテーブル１は、錠前部５を有し、プリザーブドフラワーＦなどが内蔵される天板部３と、天板部３を支持する支持部７を備える。
【００１５】
なお、図１に示された天板部３の平面形状は円であるが、円に限られず長方形など他の形状であってもよい。また、支持部７は、天板部３を支持して床などに載置できるものであればどのようなデザインであってもよいことは言うまでもない。
【００１６】
図２は、図１に示された天板部３の構成を説明するための斜視図である。図２に示されるように、天板部３は、上面が開口した筐体３０と、筐体３０の上面を覆うように配設された透明なガラスなどからなる平面板３３を含む。
【００１７】
そして、筐体３０は、円形の底面上に上部が開口した円柱状の内部空間を有し、木などの材料からなる土台３１と、上記底面に敷設された厚紙などからなる中敷き３４と、平面板３３の周縁で平面板３３と固着されると共に、中敷き３４の上から中敷きを挟持した状態で土台３１に嵌合された金属などからなるフレーム３２により構成される。
【００１８】
ここで、土台３１の底面には支持部７が接合され、後述する第１の孔Ｈ１が穿設される。また、土台３１の側面には孔ｈ１が穿設される。
【００１９】
また、中敷き３４の底面には上記第１の孔Ｈ１に連接され、第１の孔Ｈ１と同じ大きさの孔が穿設される。
【００２０】
また、フレーム３２は、側面に孔ｈ２が穿設された底面のない環状体であり、中敷き３４を挟持した状態で土台３１の上記内部空間に内接すると共に、孔ｈ２が上記孔ｈ１と連接するよう土台３１に嵌合される。
【００２１】
図３は、図１に示された天板部３のＡ−Ａ線での断面構造を示す断面図である。図３に示されるように、土台３１の底面には少なくとも二つの第１の孔Ｈ１が穿設され、土台３１の上記底面上には、第１の孔Ｈ１に連接する第１の孔Ｈ１と同じ大きさの孔が穿設された中敷き３４が敷設される。
【００２２】
また、中敷き３４の上には、第１の孔Ｈ１に連なる第２の孔Ｈ２が穿設されたウレタン樹脂などからなるオアシス９が載置され固定される。ここで、オアシス９はプリザーブドフラワーを固定する固定材としての機能を有し、オアシス９にはプリザーブドフラワーＦが挿設される。
【００２３】
なお、中敷き３４は、中敷き３４を持ち上げることにより、その上に載置されたオアシス９及びプリザーブドフラワーＦを容易に取り出すことができるため、オアシス９及びプリザーブドフラワーＦを一括して交換する際に好適なものとなる。
【００２４】
また、土台３１及び中敷き３４の底面に穿設された第１の孔Ｈ１は、例えば当該底面の中心に対して点対称となる二つの位置に穿設されるが、孔の数及び位置はこれに限られるものでない。
【００２５】
このような第１及び第２の孔Ｈ１，Ｈ２が穿設されることにより、土台３１、中敷き３４、及びフレーム３２からなる筐体３０と平面板３３により囲まれた内部空間の通気性が担保されるため、一般的に弱点として知られている湿気からプリザーブドフラワーを保護することができる。
【００２６】
なお、第２の孔Ｈ２はオアシス９に穿設される孔であり、その部分には通気のためにプリザーブドフラワーＦを挿設することができない。従って、通気性の観点からは第２の孔Ｈ２の直径は大きい方が好ましいが、第１の孔Ｈ１の直径と同程度の大きさとした場合には、オアシス９上にむら無くプリザーブドフラワーＦを配置することができなくなってしまう。そこで、第２の孔Ｈ２は、第１の孔Ｈ１より小さな直径を有するものとするのが好適である。
【００２７】
また、図３においては、第２の孔Ｈ２は、一つの第１の孔Ｈ１に対して二つ穿設された例が示されているが、第２の孔Ｈ２の数はこれに限られない。
【００２８】
また、図３に示されるように、土台３１の側面には、土台３１内に、土台３１とフレーム３２を着脱可能に係合させる錠前部５が設けられるが、以下においては図４を参照しつつ、錠前部５について詳しく説明する。
【００２９】
なお、錠前部５はどのようなタイプの錠前により構成されても良いが、以下においては、市販されているプッシュ式の錠前を用いた場合を例に挙げて説明する。
【００３０】
図４は、図３に示された錠前部５の動作を説明するための図であり、それぞれ、図４（ａ）は錠前を施錠した状態、図４（ｂ）は錠前を解錠した状態を示す断面図である。
【００３１】
錠前部５は、図２に示された土台３１の側面に穿設された孔ｈ１内に設けられ、斜線で示された内筒部５１と、内筒部５１の外側に設けられた外筒部により構成されるが、以下のように土台３１とフレーム３２を着脱可能に係合させる。
【００３２】
錠前を施錠した状態では、図４（ａ）に示されるように、内筒部５１がフレーム３２に穿設された孔ｈ２を貫通した状態で外筒部に対してロックされることにより、フレーム３２が土台３１に固定される。
【００３３】
そして、ユーザが図４（ａ）の矢印で示された向きに鍵を挿入して回転させると、図４（ｂ）に示されるように、外筒部に対するロックが解除された内筒部５１が矢印の向きに孔ｈ２の外まで移動する。これにより、フレーム３２が土台３１から離脱可能な状態となる。
【００３４】
従って、以上のような錠前部５によれば、テーブル１として使用される時には錠前が施錠されることによって、一般的にプリザーブドフラワーの弱点とされる空気中の埃や風、あるいは人の手で触れられることからプリザーブドフラワーＦを確実に保護することができる。また、錠前部５によれば、タバコ等の異物が上記内部空間内に混入されたり、内蔵物に対していたずらがなされたりすることを防ぐ防犯機能が実現されるため、テーブルとして求められる安全性を担保することができる。
【００３５】
一方、錠前を解錠することによって、平面板３３が固着されたフレーム３２を土台３１から上方へ離脱させることができるので、土台３１に内蔵されたプリザーブドフラワーＦやオアシス９のメンテナンスを容易に行うことができる。
【００３６】
なお、このとき、土台３１の上に中敷き３４が敷設されていれば、上記のように、中敷き３４の上に載置されたオアシス９及びプリザーブドフラワーＦを一括して容易に取り出すことができる。
【００３７】
また、上記錠前部５はデザインの観点から土台３１内に設けられるが、必ずしも土台３１内に設けなくても良いことはいうまでもない。
【００３８】
以上より、本発明の実施の形態１に係るテーブル１によれば、土台３１及び中敷き３４に第１の孔Ｈ１が、オアシス９に第２の孔Ｈ２がそれぞれ穿設されることにより、プリザーブドフラワーＦが置かれた空間の通気性が担保されるため、より長期間に渡ってプリザーブドフラワーＦの状態を維持することができる。
【００３９】
また、上記テーブル１によれば、錠前を施錠することにより、上記のように、人の手で触れられることなどからプリザーブドフラワーＦを確実に保護しつつテーブルとしての安全性を担保することができると共に、錠前が解錠されることにより、プリザーブドフラワーＦやオアシス９のメンテナンスを容易に行うことができる。
【００４０】
［実施の形態２］
本発明の実施の形態２に係るテーブルは、上記実施の形態１に係るテーブル１と同様な構成を有し、天板部３の構成が一部相違するに過ぎないものである。そのため、以下においては共通部分の説明は省略し、相違点についてのみ説明する。
【００４１】
図５は、本発明の実施の形態２に係るテーブルの天板部３の構成を説明するための斜視図である。図５に示されるように、実施の形態２に係るテーブルを構成する筐体３０は、底面において支持部７に接合された外枠体３５と、外枠体３５に出し入れ可能で、底面に第１の孔Ｈ１が穿設された引き出し３６を含む。
【００４２】
ここで、引き出し３６内の底面には、第１の孔Ｈ１が穿設されると共に、固定材９が載置された中敷き３４が敷設され、内側面には、中敷き３４の鉛直方向の動きを抑止するストッパー３７が設けられる。なお、ストッパー３７の数や位置については、図５に示された例に限られない。
【００４３】
また、実施の形態１に係るテーブル１と同様に、外枠体３５の枠に形成された孔ｈ１内には、外枠体３５と引き出し３６を着脱可能に係合させる錠前部５が設けられる。
【００４４】
以上のような本発明の実施の形態２に係るテーブルによれば、実施の形態１に係るテーブル１と同様な作用効果を奏すると共に、さらに、引き出し３６を外枠体３５から引き出すことにより、引き出し３６に収納された内蔵物の交換を容易に行うことができるため、オアシス９及びプリザーブドフラワーＦのメンテナンスの便宜を図ることができる。
【００４５】
また、本テーブルによれば、引き出し３６内に仕切りを設けることにより、仕切られた底面の一部に上記のようにオアシス９及びプリザーブドフラワーＦを載置すると共に、他の部分には小物などを置くなど、本テーブルを多目的に使用することができる。
【符号の説明】
【００４６】
１  テーブル、３  天板部、５  錠前部、７  支持部、３０  筐体、３１  土台、３２  フレーム、３３  平面板、３４  中敷き、３５  外枠体、３６  引き出し、３７  ストッパー、Ｆ  プリザーブドフラワー、Ｈ１  第１の孔、Ｈ２  第２の孔。
【図１】
2020031877.tif 000003
【図２】
2020031877.tif 000004
【図３】
2020031877.tif 000005
【図４】
2020031877.tif 000006
【図５】
2020031877.tif 000007